(57)【要約】通信システム（１００）は、システムによりサービス提供され且つＭＢＭＳに加入するアイドルモードＭＳ及びアクティブ接続保持ＭＳの両方の数に基づき、ＭＢＭＳデータ伝達の際、ポイントツーマルチポイント通信及びポイントツーポイント通信のいずれを確立させるかを判定する。システムはアクセス確率係数を含む制御メッセージを放送する（３０６）。制御メッセージへの応答によるシステムの過負荷を防止するため、アクティブ接続保持ＭＳは制御メッセージを無視し（５０６、５０８）、アイドルモードＭＳはアクセス確率係数に基づき応答するか否かを判定する（５０６、５１２）。システムは受信応答数をしきい値と比較し（３１０）、この比較結果に基づきポイントツーマルチポイント通信（３１２）及びポイントツーポイント通信（３２２）のいずれを確立させるかを判定する。また、システムは応答数に基づきアクセス確率係数を調整する（３１４、３３０）。
2006526316.tif 000002
【特許請求の範囲】
【請求項１】
マルチメディア放送マルチキャストサービス（ＭＢＭＳ）のサービスへのアクセスを制御する方法において、
ＭＢＭＳサービスに加入し且つアクティブ接続を保持する移動局の数を決定する移動局数決定工程と、
アクセス確率係数を決定するアクセス確率係数決定工程と、
アクセス確率係数を含む制御メッセージを放送する制御メッセージ放送工程と、
１つ以上のアイドルモード移動局の各々から制御メッセージに対する応答を受信する応答受信工程と、
受信した応答の数をしきい値と比較することによって比較結果を生成する比較生成工程と、
同比較結果に基づきポイントツーマルチポイント通信及びポイントツーポイント通信のいずれを確立させるかを判定する比較判定工程とからなる方法。
【請求項２】
しきい値はマルチメディア放送マルチキャストサービス（ＭＢＭＳ）のサービスに加入し且つアクティブ接続を保持すると決定された移動局の数によって調整されるしきい値を含む請求項１に記載の方法。
【請求項３】
比較判定工程は応答の数がしきい値を超える時、ポイントツーマルチポイント通信を確立させると判定する工程を含む請求項１に記載の方法。
【請求項４】
比較判定工程は受信した応答の数がしきい値を超えない時、アクセス確率係数に基づきポイントツーマルチポイント通信及びポイントツーポイント通信のいずれを確立させるかを判定する工程を含む請求項３に記載の方法。
【請求項５】
比較判定工程は、
受信した応答の数がしきい値を超えない時、アクセス確率係数が１に等しいか否かを判定する工程と、
アクセス確率係数が１に等しくない時、制御メッセージに応答するアイドルモード移動局の数に基づきポイントツーマルチポイント通信及びポイントツーポイント通信のいずれを確立させるかを判定する工程とを含む請求項４に記載の方法。
【請求項６】
ポイントツーマルチポイント（ＰＴＭ）通信を確立させると判定した時、
アイドルモード移動局からの応答の数及びしきい値に基づきアクセス確率係数を調整するアクセス確率係数調整工程と、
ＰＴＭ通信チャネルを確立させる工程とを含む請求項３に記載の方法。
【請求項７】
比較判定工程は受信した応答の数がしきい値を超えない時、ポイントツーポイント通信を確立させると判定するポイントツーポイント通信確立判定工程を含む請求項１に記載の方法。
【請求項８】
ポイントツーポイント（ＰＴＰ）通信確立判定工程は、
アクセス確率係数が１に等しいか否かを判定する工程と、
受信した応答の数がしきい値を超えず、且つアクセス確率係数が１に等しい時、制御メッセージに応答する各ＭＳとのＰＴＰチャネル通信を確立させる工程とを含む請求項７に記載の方法。
【請求項９】
ポイントツーポイント（ＰＴＰ）通信確立判定工程は、
アクセス確率係数が１に等しいか否かを判定する工程と、
アクセス確率係数が１に等しくない時、制御メッセージに応答するアイドルモード移動局の数が０に等しいか否かを判定する工程と、
受信した応答の数がしきい値を超えず、且つ制御メッセージに応答するアイドルモード移動局の数が０に等しい時、制御メッセージに応答する各ＭＳとのＰＴＰ通信チャネルを確立させる工程とを含む請求項７に記載の方法。
【請求項１０】
比較判定工程は受信した応答の数がしきい値を超えない時、
アクセス確率係数が１に等しいか否かを判定する工程と、
アクセス確率係数が１に等しくない時、制御メッセージに応答するアイドルモード移動局の数が０に等しいか否かを判定する工程と、
制御メッセージに応答するアイドルモード移動局の数が０に等しくない時、
制御メッセージに応答するアイドルモード移動局の数及びしきい値に基づきアクセス確率係数を調整することによって調整済みアクセス確率係数を生成する調整済みアクセス確率係数生成工程と、
調整済みアクセス確率係数に基づきポイントツーマルチポイント通信及びポイントツーポイント通信のいずれを確立させるかを判定する調整済みアクセス確率係数判定工程とを含む請求項１に記載の方法。
【請求項１１】
制御メッセージは第１の制御メッセージからなり、
比較結果は第１の比較結果からなり、
調整済みアクセス確率係数判定工程は、
調整済みアクセス確率係数がしきい値より大きいか否かを判定する工程と、
調整済みアクセス確率係数がしきい値より大きくない時、調整済みアクセス確率係数が１より大きいか否かを判定する工程と、
調整済みアクセス確率係数が１より大きくない時、
調整済みアクセス確率係数を含む第２の制御メッセージを放送する第２制御メッセージ放送工程と、
１つ以上のアイドルモード移動局の各々から第２の制御メッセージに対する応答を受信する第２応答受信工程と、
第２の制御メッセージに対する応答にて受信した応答の数をしきい値と比較することによって第２の比較結果を生成する第２比較生成工程と、
第２の比較結果に基づきポイントツーマルチポイント通信及びポイントツーポイント通信のいずれを確立させるかを判定する第２比較判定工程とを含む請求項１０に記載の方法。
【請求項１２】
調整済みアクセス確率係数判定工程は、
調整済みアクセス確率係数がしきい値より大きいか否かを判定する工程と、
調整済みアクセス確率係数がしきい値より大きくない時、調整済みアクセス確率係数が１より大きいか否かを判定する工程と、
調整済みアクセス確率係数が１より大きい時、制御メッセージに応答する各ＭＳとのポイントツーポイント通信チャネルを確立させる工程とを含む請求項１０に記載の方法。
【請求項１３】
制御メッセージは第１の制御メッセージからなり、
比較結果は第１の比較結果からなり、
調整済みアクセス確率係数判定工程は、
調整済みアクセス確率係数がしきい値より大きいか否かを判定する工程と、
調整済みアクセス確率係数がしきい値より大きい時、
調整済みアクセス確率係数を１に設定する工程と、
調整済みアクセス確率係数を含む第２の制御メッセージを放送する第２制御メッセージ放送工程と、
１つ以上のアイドルモード移動局の各々から第２の制御メッセージに対する応答を受信する第２応答受信工程と、
第２の制御メッセージに対する１つ以上のアイドルモード移動局からの応答の数をしきい値と比較することによって第２の比較結果を生成する第２比較生成工程と、
第２の比較結果に基づきポイントツーマルチポイント通信及びポイントツーポイント通信のいずれを確立させるかを判定する第２比較判定工程とを含む請求項１０に記載の方法。
【請求項１４】
比較判定工程は、
制御メッセージに対して受信した応答の数に基づきアクセス確率係数を調整することによって調整済みアクセス確率係数を生成する調整済みアクセス確率係数生成工程と、
調整済みアクセス確率係数が１以上であるか否かを判定する工程と、
調整済みアクセス確率係数が１以上である時、制御メッセージに応答する各ＭＳとのポイントツーポイント（ＰＴＰ）通信チャネルを確立させる工程とを含む請求項１に記載の方法。
【請求項１５】
制御メッセージは第１の制御メッセージからなることと、
比較結果は第１の比較結果からなることと、
調整済みアクセス確率係数が１未満である時、
調整済みアクセス確率係数を含む第２の制御メッセージを放送する第２制御メッセージ放送工程と、
１つ以上のアイドルモード移動局の各々から調整済みアクセス確率係数を含む第２の制御メッセージに対する応答を受信する第２応答受信工程と、
第２の制御メッセージに対して受信した応答の数をしきい値と比較することによって第２の比較結果を生成する第２比較生成工程と、
第２の比較結果に基づきポイントツーマルチポイント通信及びポイントツーポイント通信のいずれを確立させるかを判定する第２比較判定工程とを含む請求項１４に記載の方法。
【請求項１６】
マルチメディア放送マルチキャストサービス（ＭＢＭＳ）のサービスにアクセスする方法において、
ＭＢＭＳサービスに関連し且つアクセス確率係数を含む制御メッセージを移動局が受信する制御メッセージ受信工程と、
移動局とインフラとの間にアクティブ接続が存在する時、制御メッセージを無視する制御メッセージ無視工程と、
移動局とインフラとの間にアクティブ接続が存在しない時、アクセス確率係数に基づき制御メッセージに応答するか否かを判定するアクセス確率係数判定工程とからなる方法。
【請求項１７】
制御メッセージに応答すると判定した時、接続要求を伝達する接続要求伝達工程を含む請求項１６に記載の方法。
【請求項１８】
マルチメディア放送マルチキャストサービス（ＭＢＭＳ）のサービスへのアクセスを制御する装置において、
アクセス確率係数を保持するとともに、ＭＢＭＳサービスに加入し且つアクティブ接続を保持する移動局の数の記録を保持する１つ以上のメモリデバイスと、
同１つ以上のメモリデバイスに接続されたプロセッサと、
同プロセッサは、ＭＢＭＳサービスに加入し且つアクティブ接続を保持する移動局の数及びアクセス確率係数を同１つ以上のメモリデバイスを参照することによって決定し、アクセス確率係数を含む制御メッセージを伝達し、１つ以上のアイドルモード移動局の各々から制御メッセージに対する応答を受信し、受信した応答の数をしきい値と比較すること
によって比較結果を生成し、並びに同比較結果に基づきポイントツーマルチポイント通信及びポイントツーポイント通信のいずれを確立させるかを判定することとを含む装置。
【請求項１９】
しきい値はマルチメディア放送マルチキャストサービス（ＭＢＭＳ）のサービスに加入し且つアクティブ接続を保持すると決定された移動局の数によって調整されるしきい値を含む請求項１８に記載の装置。
【請求項２０】
プロセッサは応答の数がしきい値を超える時、ポイントツーマルチポイント通信を確立させると判定する請求項１８に記載の装置。
【請求項２１】
プロセッサは受信した応答の数がしきい値を超えない時、アクセス確率係数に基づきポイントツーマルチポイント（ＰＴＭ）通信及びポイントツーポイント（ＰＴＰ）通信のいずれを確立させるかを判定する請求項２０に記載の方法。
【請求項２２】
プロセッサは受信した応答の数がしきい値を超えず且つアクセス確率係数が１に等しくない時、制御メッセージに応答するアイドルモード移動局の数に基づきポイントツーマルチポイント（ＰＴＭ）通信及びポイントツーポイント（ＰＴＰ）通信のいずれを確立させるかを判定する請求項２１に記載の方法。
【請求項２３】
プロセッサはポイントツーマルチポイント（ＰＴＭ）通信を確立させると判定した時、アイドルモード移動局からの応答の数及びしきい値に基づきアクセス確率係数を調整し、ＰＴＭ通信チャネルを介してマルチメディア放送マルチキャストサービス（ＭＢＭＳ）データを伝達するように構成する請求項２０に記載の装置。
【請求項２４】
プロセッサは受信した応答の数がしきい値を超えない時、ポイントツーポイント通信を介してマルチメディア放送マルチキャストサービス（ＭＢＭＳ）データを伝達させると判定する請求項１８に記載の装置。
【請求項２５】
プロセッサは、アクセス確率係数が１に等しいか否かを判定し、アクセス確率係数が１に等しい時、ポイントツーポイント（ＰＴＰ）通信チャネルを介してマルチメディア放送マルチキャストサービス（ＭＢＭＳ）データを伝達すると判定することによって、ＰＴＰ通信を介してＭＢＭＳデータを伝達すると判定する請求項２４に記載の装置。
【請求項２６】
プロセッサは、アクセス確率係数が１に等しいか否かを判定し、アクセス確率係数が１に等しくない時、制御メッセージに応答するアイドルモード移動局の数が０に等しいか否かを判定し、制御メッセージに応答するアイドルモード移動局の数が０に等しい時、ポイントツーポイント（ＰＴＰ）通信チャネルを介してマルチメディア放送マルチキャストサービス（ＭＢＭＳ）データを伝達すると判定することによって、ＰＴＰ通信を介してＭＢＭＳデータを伝達すると判定する請求項２４に記載の装置。
【請求項２７】
プロセッサは受信した応答の数がしきい値を超えない時、アクセス確率係数が１に等しいか否かを判定し、アクセス確率係数が１に等しくない時、制御メッセージに応答するアイドルモード移動局の数が０に等しいか否かを判定し、制御メッセージに応答するアイドルモード移動局の数が０に等しくない時、制御メッセージに応答するアイドルモード移動局の数及びしきい値に基づきアクセス確率係数を調整して調整済みアクセス確率係数を生成し、調整済みアクセス確率係数に基づきポイントツーマルチポイント（ＰＴＭ）通信及びポイントツーポイント（ＰＴＰ）通信のいずれを確立させるかを判定することによって、ＰＴＭ通信及びＰＴＰ通信のいずれを確立させるかを判定する請求項１８に記載の装置。
【請求項２８】
制御メッセージは第１の制御メッセージからなることと、比較結果は第１の比較結果からなることと、プロセッサは制御メッセージに応答するアイドルモード移動局の数が０に等しくない時、調整済みアクセス確率係数がしきい値より大きいか否かを判定し、調整済みアクセス確率係数がしきい値より大きくない時、調整済みアクセス確率係数が１より大きいか否かを判定し、調整済みアクセス確率係数が１より大きくない時、調整済みアクセス確率係数を含む第２の制御メッセージを伝達し、１つ以上のアイドルモード移動局の各々から第２の制御メッセージに対する応答を受信し、第２の制御メッセージに対する応答にて受信した応答の数をしきい値と比較して第２の比較結果を生成し、第２の比較結果に基づきポイントツーマルチポイント（ＰＴＭ）通信及びポイントツーポイント（ＰＴＰ）通信のいずれを確立させるかを判定することによって、調整済みアクセス確率係数に基づきＰＴＭ通信及びＰＴＰ通信のいずれを確立させるかを判定することとを含む請求項２７に記載の装置。
【請求項２９】
プロセッサは制御メッセージに応答するアイドルモード移動局の数が０に等しくない時、調整済みアクセス確率係数が前記しきい値より大きいか否かを判定し、調整済みアクセス確率係数がしきい値より大きくない時、調整済みアクセス確率係数が１より大きいか否かを判定し、調整済みアクセス確率係数が１より大きい時、ポイントツーポイント（ＰＴＰ）通信チャネルを介してマルチメディア放送マルチキャストサービス（ＭＢＭＳ）データを伝達するように構成することによって、調整済みアクセス確率係数に基づきポイントツーマルチポイント（ＰＴＭ）通信及びＰＴＰ通信のいずれを確立させるかを判定する請求項２７に記載の装置。
【請求項３０】
制御メッセージは第１の制御メッセージからなることと、比較結果は第１の比較結果からなることと、プロセッサは制御メッセージに応答するアイドルモード移動局の数が０に等しくない時、調整済みアクセス確率係数がしきい値より大きいか否かを判定し、調整済みアクセス確率係数がしきい値より大きい時、調整済みアクセス確率係数を１に設定し、調整済みアクセス確率係数を含む第２の制御メッセージを伝達し、１つ以上のアイドルモード移動局の各々から第２の制御メッセージに対する応答を受信し、第２の制御メッセージに対する応答の数をしきい値と比較して第２の比較結果を生成し、第２の比較結果に基づきポイントツーマルチポイント（ＰＴＭ）通信及びポイントツーポイント（ＰＴＰ）通信のいずれを確立させるかを判定することによって、調整済みアクセス確率係数に基づきＰＴＭ通信及びＰＴＰ通信のいずれを確立させるかを判定することとを含む請求項２７に記載の装置。
【請求項３１】
プロセッサは、制御メッセージに対して受信した応答の数に基づきアクセス確率係数を調整して調整済みアクセス確率係数を生成し、調整済みアクセス確率係数が１以上であるか否かを判定し、調整済みアクセス確率係数が１以上である時、ポイントツーポイント（ＰＴＰ）通信を介してマルチメディア放送マルチキャストサービス（ＭＢＭＳ）データを伝達するように構成することによって、ポイントツーマルチポイント（ＰＴＭ）通信及びＰＴＰ通信のいずれを確立させるかを判定する請求項１８に記載の装置。
【請求項３２】
制御メッセージは第１の制御メッセージからなることと、比較結果は第１の比較結果からなることと、プロセッサは調整済みアクセス確率係数が１未満である時、調整済みアクセス確率係数を含む第２の制御メッセージを伝達し、１つ以上のアイドルモード移動局の各々から調整済みアクセス確率係数を含む第２の制御メッセージに対する応答を受信し、第２の制御メッセージに対して受信した応答の数をしきい値と比較して第２の比較結果を生成し、第２の比較結果に基づきポイントツーマルチポイント通信及びポイントツーポイント通信のいずれを確立させるかを判定することとを含む請求項３１に記載の装置。
【請求項３３】
マルチメディア放送マルチキャストサービス（ＭＢＭＳ）のサービスへのアクセスが可
能な移動局において、
ＭＢＭＳサービスに関連し且つアクセス確率係数を含む制御メッセージを受信する受信機と、
受信機に動作可能に接続されたプロセッサと、
プロセッサは、受信機から制御メッセージを受信し、移動局とインフラとの間にアクティブ接続が存在する場合には制御メッセージを無視し、移動局とインフラとの間にアクティブ接続が存在しない場合にはアクセス確率係数に基づき制御メッセージに応答するか否かを判定することとを含む移動局。
【請求項３４】
プロセッサは制御メッセージに応答すると判定した時、接続要求を伝達する請求項３３に記載の移動局。
【発明の詳細な説明】
【技術分野】
【０００１】
本発明はパケットデータ通信システムに関する。より詳細には、本発明はパケットデータ通信システムにおけるマルチメディア放送マルチキャストサービスに関する。
【背景技術】
【０００２】
ユニバーサル移動体通信サービス（ＵＭＴＳ）規格は、セルラ移動体通信システムのための互換性規格を提供する。ＵＭＴＳ規格では、ＵＭＴＳシステムにおいて動作する移動局（ＭＳ）すなわちユーザ機器（ＵＥ）が、この規格に従って製造されたシステムにおいて動作する時に通信サービスが得られることが保証される。この規格では、互換性を保証するために、エアインタフェースを介して交換されるデジタル制御メッセージとベアラトラフィックとを支配するプロトコルを含め、無線システムパラメータ及びデータ転送手順が指定されている。
【０００３】
ＵＭＴＳ規格では、３ＧＰＰ  ＴＳ  ２５．３４６（第３世代パートナーシッププロジェクト技術仕様２５．３４６）第０．５．０版及び３ＧＰＰ  ＴＳ  ２３．８４６  第６．０．０版において、ＵＭＴＳ通信システムによってサービス提供されるＵＥに対する、このシステムによるマルチメディア放送マルチキャストサービス（ＭＢＭＳ：Multimedia
Broadcast Multicast Service）のサービスの提供が規定されている。ＭＢＭＳサービスでは、通常はインターネットプロトコル（ＩＰ）データパケットのフォーマットで存在するＭＢＭＳデータが、１つ以上のＵＥに対してマルチキャスト及びユニキャストされる。ＵＭＴＳ通信システムのエアインタフェース資源が浪費されないことを保証するために、システムはＭＢＭＳデータを供給するセルにおいて、受信者数、すなわち加入ＵＥの数を最初に推定する必要がある。推定された受信者数に基づいて、システムは次いで、セルにおいてポイントツーマルチポイント（ＰＴＭ）通信チャネルを確立させるか、或いは各受信者に対してポイントツーポイント（ＰＴＰ）チャネルを確立させるかを判定する。セル内の推定された受信者数が運営者の規定したしきい値を上回る場合、システムはセルにおいてＰＴＭチャネルを確立させる。セル内の推定された受信者数が運営者の規定したしきい値を下回る場合、システムはセル内の各加入ＭＳに対してＰＴＰチャネルを確立させる。
【０００４】
通常、システムは、確立された接続を通じてアクティブであるＭＢＭＳサービスに加入するＵＥ数に基づいて受信者数を推定する。この推定に基づいて、ＵＭＴＳインフラ（ｉｎｆｒａｓｔｒｕｃｔｕｒｅ）に含まれた無線ネットワークコントローラ（ＲＮＣ）が、セルにおいてＰＴＭ通信チャネルを確立させるか、或いは各ＵＥに対してＰＴＰ通信チャネルを確立させるかを判定する。次いで、通常は送受信基地局（ＢＴＳ）であるノードＢと、制御チャネルとを介して、セル内の全てのＵＥに対してＲＮＣがＭＢＭＳ通知を放送する。この通知は通常、ＭＢＭＳサービスに関連する識別子を含む。ＭＢＭＳ通知の受信に応答する際、セルにおいてＭＢＭＳサービスに加入する各ＵＥは、アクセスチャネルを介して接続要求、通常は無線資源制御（ＲＲＣ）接続確立要求をＲＮＣに伝達し得る。加入ＵＥの各々から接続要求を受信すると、ＲＮＣは、ＰＴＭ通信チャネルを確立させるか、或いは応答中の各ＵＥとＰＴＰ通信チャネルを確立させる。ＲＮＣがいずれの通信チャネルを確立させると判定した場合にも、確立させたチャネルを介して加入ＵＥに対してＭＢＭＳデータを伝達する。
【０００５】
ＭＢＭＳ通知に応答して生成される接続要求の数を制限するために、ＭＢＭＳ通知と併せてアクセス確率係数を放送することが提案されている。しかし、通常、ＲＮＣはセルに
おいてＭＢＭＳサービスに加入するアイドルモードのＵＥの数を認識しないという点で問題が生じる。アイドルモードのＵＥはＲＮＣとのアクティブ接続を有しないため、ＲＮＣがＭＢＭＳデータの受信者数を推定する時にはこれらのＵＥは計数されない。アクセス確率係数が高い値に設定され、ＭＢＭＳサービスに加入するアイドルモードのＵＥの数も大きい場合、ＭＢＭＳ通知に応答して生成される接続要求の数によって、アクセスチャネルが過負荷となり得る。システムの過負荷の場合、ＵＭＴＳ規格では、システムの運営者がバックオフ機構を用いることが可能である。しかし、バックオフ機構は接続セットアップ遅延を発生させ、ＵＥは接続要求を繰り返し送信する必要があるためＲＦ資源が浪費される。一方、アクセス確率係数が低い値に設定され、ＭＢＭＳサービスに加入するアイドルモードのＭＳの数が少ない場合、計数要求の応答でＲＮＣに受信される接続要求の数は、ＰＴＭチャネルがマルチメディアデータの分配（ｄｉｓｓｅｍｉｎａｔｉｎｇ）に最も効率的な方式である時にも、ＰＴＭチャネルの確立を呼出させるには不充分な場合がある。
【発明の開示】
【発明が解決しようとする課題】
【０００６】
したがって、ＭＢＭＳ通知に応答して生成される接続要求の数を制限しながら、アイドルモード移動局を含め、システムがサービスを提供し、ＭＢＭＳサービスに加入する移動局の数をより正確に推定するとともに、接続要求の数を制御するアクセス確率係数の動的調整を提供する方法及び装置が必要である。
【課題を解決するための手段】
【０００７】
ＭＢＭＳ通知に応答して生成される接続要求の数を制限しながら、アイドルモード移動局を含め、システムがサービスを提供し、ＭＢＭＳサービスに加入する移動局の数をより正確に推定するとともに、接続要求の数を制御するアクセス確率係数の動的調整を提供する方法及び装置の必要を満たすため、通信システムは、システムによりサービス提供され、且つＭＢＭＳサービスに加入するアイドルモードの移動局及びアクティブ接続を保持する移動局の両方の数に基づき、ＭＢＭＳデータの伝達においてポイントツーマルチポイント通信及びポイントツーポイント通信のいずれを確立させるかを判定する。システムは、アクセス確率係数を含む制御メッセージを放送する。制御メッセージに対する応答によってシステムに過負荷を生じるのを防止するために、アクティブ接続を保持する移動局は制御メッセージを無視し、アイドルモードの移動局は、アクセス確率係数に基づき応答するか否かを判定する。システムは制御メッセージに応答して受信した応答の数をしきい値と比較し、この比較結果に基づきポイントツーマルチポイント通信を確立させるか、又はポイントツーポイント通信を確立させるかを判定する。また、システムは応答の数に基づきアクセス確率係数を調整する。
【０００８】
一般に、本発明の一実施形態は、マルチメディア放送マルチキャストサービス（ＭＢＭＳ）のサービスへのアクセスを制御する方法を包含する。この方法は、ＭＢＭＳサービスに加入し且つアクティブ接続を保持する移動局の数を決定する工程と、アクセス確率係数を決定する工程と、アクセス確率係数を含む制御メッセージを放送する工程とからなる。この方法はさらに、１つ以上のアイドルモード移動局の各々から制御メッセージに対する応答を受信する工程と、受信した応答の数をしきい値と比較することによって比較結果を生成する工程と、この比較結果に基づきポイントツーマルチポイント通信及びポイントツーポイント通信のいずれを確立させるかを判定する工程とを含む。
【０００９】
本発明の別の実施形態は、マルチメディア放送マルチキャストサービス（ＭＢＭＳ）のサービスにアクセスする方法を包含する。この方法は、ＭＢＭＳサービスに関連し且つアクセス確率係数を含む制御メッセージを移動局が受信する工程からなる。この方法はさらに、移動局とインフラとの間にアクティブ接続が存在する時、制御メッセージを無視する工程と、移動局とインフラとの間にアクティブ接続が存在しない時、アクセス確率係数に
基づき制御メッセージに応答するか否かを判定する工程とを含む。
【００１０】
本発明のさらに別の実施形態は、マルチメディア放送マルチキャストサービス（ＭＢＭＳ）のサービスへのアクセスを制御する装置を包含する。この装置は、アクセス確率係数を保持するとともに、ＭＢＭＳサービスに加入し且つアクティブ接続を保持する移動局の数の記録を保持する１つ以上のメモリデバイスを備える。この装置はさらに、この１つ以上のメモリデバイスに接続されたプロセッサを備える。このプロセッサは、ＭＢＭＳサービスに加入し且つアクティブ接続を保持する移動局の数及びアクセス確率係数をこの１つ以上のメモリデバイスを参照することによって決定し、アクセス確率係数を含む制御メッセージを伝達し、１つ以上のアイドルモード移動局の各々から制御メッセージに対する応答を受信し、受信した応答の数をしきい値と比較することによって比較結果を生成し、同比較結果に基づきポイントツーマルチポイント通信及びポイントツーポイント通信のいずれを確立させるかを判定する。
【００１１】
本発明のさらに別の実施形態は、マルチメディア放送マルチキャストサービス（ＭＢＭＳ）のサービスへのアクセスが可能な移動局を包含する。この移動局は、ＭＢＭＳサービスに関連し且つアクセス確率係数を含む制御メッセージを受信する受信機を備える。この移動局はさらに、受信機に動作可能に接続されたプロセッサを備える。このプロセッサは、受信機から制御メッセージを受信し、移動局とインフラとの間にアクティブ接続が存在する場合には制御メッセージを無視し、移動局とインフラとの間にアクティブ接続が存在しない場合にはアクセス確率係数に基づき制御メッセージに応答するか否かを判定する。
【発明を実施するための最良の形態】
【００１２】
本発明は、図１〜図５を参照してより充分に説明され得る。図１は、本発明の一実施形態による無線通信システム１００のブロック図である。通信システム１００は、無線アクセスネットワーク（ＲＡＮ）１１０と無線通信する複数の移動局（ＭＳ）すなわちユーザ機器１０２〜１０４（３つを示す）を備える。ＲＡＮ１１０は、コントローラ１１４、好ましくは無線ネットワークコントローラ（ＲＮＣ）に動作可能に接続された少なくとも１つの送受信機すなわちノードＢ  １１２を備える。通信システム１００は、ＲＡＮ１１０に接続されたサポートノード１２０をさらに備える。通常、サポートノード１２０は、各々が１つ以上の３Ｇ−ゲートウェイＧＰＲＳサポートノード（ＧＧＳＮ）に接続されている、１つ以上のサービング３Ｇ−ＧＰＲＳサポートノード（ＳＧＳＮ）を備える。しかし、サポートノード１２０の精密な設計は通信システム１００の運営者に依存し、本発明にとって重要ではない。ＲＡＮ１１０及びサポートノード１２０を併せて、本明細書では集合的にインフラ１２２と呼ぶ。
【００１３】
各ＭＳ１０２〜１０４は、通信システム１００により提供され、ＭＳに対してＭＢＭＳデータを配信するマルチメディア放送マルチキャストサービス（ＭＢＭＳ）のサービスに加入する。ＭＢＭＳサービスは、３ＧＰＰ（第３世代パートナーシッププロジェクト）規格、及び特に３ＧＰＰ  ＴＳ（技術仕様）２５．３４６第０．５．０版、３ＧＰＰ  ＴＳ
２３．８４６第６．０．０版、３ＧＰＰ  ＴＳ  ２２．１４６第６．０．０版、３ＧＰＰ  ＴＲ（技術報告）２１．９０５第５．４．０版、及び報告Ｒ２−０３００６３に詳細に説明されている。これらの仕様及び報告を引用により本明細書に援用するが、これらの仕様及び報告のコピーはインターネットを介して３ＧＰＰから、又はフランス国、セデックス０６９２１ソフィア−アンティポリス、ルート・デ・リュシオール、モビール・コンペターンス・サーントル６５０（Ｍｏｂｉｌｅ  Ｃｏｍｐｅｔｅｎｃｅ  Ｃｅｎｔｒｅ  ６５０，ｒｏｕｔｅ  ｄｅｓ  Ｌｕｃｉｏｌｅｓ，０６９２１  Ｓｏｐｈｉａ−Ａｎｔｉｐｏｌｉｓ  Ｃｅｄｅｘ，Ｆｒａｎｃｅ）所在の、３ＧＰＰ提携機関の出版局から入手され得る。
【００１４】
ＲＡＮ１１０は、エアインタフェース１２８を介してＲＡＮによってサービス提供されるセル等のカバレッジ領域内に位置する、ＭＳ１０２〜１０４等の移動局に対して通信サービスを提供する。エアインタフェース１２８は、各々複数の通信チャネルを含むダウンリンク１３０及びアップリンク１３５を備える。好ましくは、ダウンリンク１３０は、ページングチャネル１３１、少なくとも１つのダウンリンク制御チャネル１３２、及び少なくとも１つのダウンリンクトラフィックチャネル１３３を含む。好ましくは、アップリンク１３５は、アップリンクアクセスチャネル１３６、少なくとも１つのアップリンクシグナリングチャネル１３７、及び少なくとも１つのアップリンクトラフィックチャネル１３８を含む。
【００１５】
ここで図１及び図２を参照すると、コントローラ１１４及び各ＭＳ１０２〜１０４は、１つ以上のマイクロプロセッサ、マイクロコントローラ、デジタル信号プロセッサ（ＤＳＰ）、これらの組合せ、又は当業者に既知の他のデバイス等、プロセッサ１１６及び２０６をそれぞれ備える。コントローラ１１４及び各ＭＳ１０２〜１０４はさらに、ランダムアクセスメモリ（ＲＡＭ）、ダイナミックランダムアクセスメモリ（ＤＲＡＭ）、リードオンリメモリ（ＲＯＭ）、又はそれらのうちの１つ以上、若しくはそれらの均等物等、プロセッサによって実行され通信システム１００におけるプロセッサの動作を可能とするデータ及びプログラムを記憶し、且つ各プロセッサに関連する、それぞれ１つ以上のメモリデバイス１１８、２０８を備える。コントローラ１１４における１つ以上のメモリデバイス１１８はさらに、コントローラによってサービスが提供され、且つＲＡＮ１１０とのアクティブ接続を現在保持する全てのＭＳに関する情報を保持する。各ＭＳ１０２〜１０４はさらに、プロセッサ２０６に動作可能に接続され、それぞれＭＳによるメッセージの受信及び送信を提供する受信機２０２及び送信機２０４を備える。
【００１６】
好ましくは、通信システム１００は、３ＧＰＰ（第３世代パートナーシッププロジェクト）規格に従って動作するユニバーサル移動体通信サービス（ＵＭＴＳ）通信システムであり、ＵＭＴＳのエアインタフェースの互換性規格を提供する。この規格の全体を引用により本明細書に援用する。この規格は、無線システムパラメータ及び呼処理手順を含め、無線通信システム動作プロトコルを指定する。通信システム１００では、アクセスチャネル、制御チャネル、ページングチャネル、及びトラフィックチャネル等、順方向リンク１３０又は逆方向リンク１３５の通信チャネルは各々、同じ周波数帯域幅内の複数のタイムスロットのうちの１つ以上を含む。しかし当業者には、通信システム１００が任意の無線通信システムに従って動作してよいことが認識される。この無線通信システムには、汎用パケット無線サービス（ＧＰＲＳ）通信システム、符号分割多元アクセス（ＣＤＭＡ）２０００通信システム、又は直交周波数分割多元アクセス（ＯＦＤＭ）通信システム等が含まれるが、それらに限定されない。
通信システム１００はさらに、ＩＰネットワーク等のデータネットワーク１２４を介してインフラ１２２、詳細にはサポートノード１２０に接続された、インターネットプロトコル（ＩＰ）マルチキャストサーバ等のマルチメディア放送マルチキャストサービス（ＭＢＭＳ）データソース１２６を備える。各ＭＳ１０２〜１０４によって加入されるＭＢＭＳサービスの一環として、ＭＢＭＳデータソース１２６は、サポートノード１２０及びＲＡＮ１１０を介して、詳細にはサービス加入者にサービスを提供するコントローラ、すなわちＭＳ１０２〜１０４に関するコントローラ１１４を介して、通常はＩＰデータパケットの形でＭＢＭＳデータをＭＳ１０２〜１０４に対して供給する。ＲＡＮ１１０、詳細にはコントローラ１１４がＭＢＭＳデータを受信する時、ＲＡＮによってサービスが提供されている各加入ＭＳ、すなわちＭＳ１０２〜１０４に対して、ＭＢＭＳデータをマルチキャストすなわちポイントツーマルチポイント（ＰＴＭ）通信チャネルを介して伝達するか、或いは個々のユニキャストすなわちポイントツーポイント（ＰＴＰ）通信チャネルを介して伝達するかを、ＲＡＮが判定する必要がある。
【００１７】
ＰＴＭ通信チャネルを確立させるか、或いは個々のＰＴＰ通信チャネルを確立させるかを判定するために、ＲＡＮ１１０は、ＲＡＮによってサービスが提供されているカバレッジ領域に位置し、且つＭＢＭＳデータを供給するＭＢＭＳサービスに加入するＭＳの数を最初に推定し、この推定に基づいてアクセス確率係数を決定する必要がある。従来技術の提案では、ＲＡＮは、ＲＡＮとのアクティブ接続を有し、且つＭＢＭＳサービスに加入するＭＳの数に基づいてアクセス確率係数を決定する。しかし、そのような決定では、ＲＡＮによりサービスが提供され、且つＭＢＭＳサービスに加入するアイドルモードのＭＳが算入されない。結果として、従来技術では、多数のアイドルＭＳがサービスに加入し、且つアクセス確率係数が高い値に設定される場合、決定されたアクセス確率係数により、ＭＢＭＳ通知に応答するＭＳの数でアクセスチャネルに過負荷となり得る。或いは、少数のアイドルＭＳがサービスに加入し、ＲＡＮがアクセス確率係数を低い値に設定する場合、計数要求に応答してＲＮＣによって受信される接続要求の数は、ＰＴＭチャネルがマルチメディアデータの分配に最も効率的な方式である時にも、ＰＴＭチャネルの確立を呼出させるには不充分な場合がある。
【００１８】
ＭＢＭＳ通知に応答した接続要求によってアップリンクアクセスチャネル１３６が壊滅する（ｏｖｅｒｗｈｅｌｍ）のを防止するため、またＭＢＭＳデータの伝達においてＰＴＭ接続又は個々のＰＴＰ接続を適切に選択するため、通信システム１００は、ＭＢＭＳ通知に応答するＭＳの数を制限しながら、ＭＢＭＳサービスに加入し、且つＲＡＮ１１０のサービス領域内に位置するＭＳの数を推定するためのより正確な方法を提供するとともに、応答数及び加入ＭＳの数の推定を最適化するように適応的に決定されるアクセス確率係数も提供する。図３Ａ及び図３Ｂには、本発明の一実施形態によって、ＭＢＭＳサービスに加入するＭＳの数を推定し、ＭＢＭＳデータを伝達するためにＰＴＭ通信を確立させるか、或いはＰＴＰ通信を確立させるかを判定する際に、通信システム１００が実行する方法の論理流れ図３００を示す。論理流れ図３００が開始され（３０１）、ＭＢＭＳサービスに加入し、且つＲＡＮとのアクティブ接続を保持しているＭＳの数量を、ＲＡＮ１１０、詳細にはコントローラ１１４が決定する（３０２）。好ましくは、コントローラ１１４のプロセッサ１１６は、メモリ１１８を参照することによりＲＡＮとのアクティブ接続を保持しているＭＳの数量を決定する。本明細書では、別記しない限り、本明細書においてＲＡＮ１１０によって実行される機能は全て、コントローラ１１４、詳細にはコントローラ１１４のプロセッサ１１６によって実行される。さらに本明細書では、別記しない限り、本明細書においてコントローラ１１４によって実行される機能は全て、コントローラ１１４のプロセッサ１１６によって実行される。
【００１９】
ＲＡＮ１１０、詳細にはコントローラ１１４は、アクセス確率係数「Ｐ」を初期化する（３０４）。すなわち、「Ｐ」を、メモリ１１８に保持されている、又はコントローラ１１４のメモリ１１８に保持されるアルゴリズムに基づいて決定される初期アクセス確率係数「Ｐｉｎｉｔ」に等しく設定する。次いで、ＲＡＮ１１０は、送受信機１１２及びダウンリンク制御チャネル１３２、好ましくはＭＢＭＳ制御チャネルを介して、初期化されたアクセス確率係数「Ｐ」を含む１つ以上の制御メッセージを放送する（３０６）。この１つ以上の制御メッセージは、各ＭＳ１０２〜１０４にそのＭＳがメッセージの対象とされた受信者であるか否かを判定させることを可能とする情報をさらに含む。この情報は、ＭＢＭＳサービスに関連する識別子、各ＭＳ１０２〜１０４がメンバであるＭＢＭＳサービスグループに関連する識別子、若しくはＭＢＭＳサービスグループのメンバであるか、ＭＢＭＳサービスに加入するか、又はその両方である各ＭＳ１０２〜１０４に一意に関連する識別子等である。好ましくは、この１つ以上の制御メッセージは、３ＧＰＰ  ＴＳ  ２３．８４６第６．０．０版に規定されるＭＢＭＳ通知メッセージを、アクセス確率係数を含むように変更したものを含む。
【００２０】
アクセス確率係数「Ｐ」を含む１つ以上の制御メッセージを放送することに応答して、
ＲＡＮ１１０は、アップリンクアクセスチャネル１３６を介して、好ましくは接続を確立させる要求である、応答の数量「Ｎ」を受信する（３０８）。ＭＢＭＳサービスに加入し、且つＲＡＮとのアクティブ接続を保持している各ＭＳは、この１つ以上の制御メッセージを無視するため、すなわちこの１つ以上の制御メッセージに応答しないため、ＭＢＭＳサービスに加入するアイドルモードのＭＳによってのみ、応答がＲＡＮ１１０に伝達される。好ましくは、接続を確立させる要求の各々は、無線資源制御（ＲＲＣ）接続確立要求等の接続要求を含んでおり、ＭＢＭＳサービスに加入し、且つ接続の確立及びＭＢＭＳデータの受信を所望する、ＭＳ１０２〜１０４等のＭＳに対応する。通信システム１００はアクセス確率係数「Ｐ」を適応的に決定するため、放送制御メッセージへの応答によりアクセスチャネル１３６に過負荷が生じないことを保証するように、初期アクセス確率係数「Ｐｉｎｉｔ」が充分に小さく設定されることが可能である。
【００２１】
例えば、本発明の一実施形態では、初期アクセス確率係数「Ｐｉｎｉｔ」は、以下の式をＰｉｎｉｔに関して解くことによりＲＡＮ１１０によって決定されてよい。この式はコントローラ１１４のメモリ１１８に保持されてもよい。
【００２２】
【数１】
2006526316.tif 000003
【００２３】
係数「Ｍ」は、調整済みマルチキャストしきい値、すなわちＭＢＭＳサービスに加入し、且つＲＡＮとのアクティブ接続を保持しているＭＳの数量だけ減じられたマルチキャストしきい値に対応する。マルチキャストしきい値は、システム１００の運営者により予め決定され、コントローラ１１４のメモリ１１８に保持されてもよく、このしきい値を下回ればＲＡＮは個々にＰＴＰ通信チャネルを確立させ、このしきい値を上回ればＲＡＮはＰＴＭ通信チャネルを確立させてＭＢＭＳデータを配信するような応答ＭＳの数量に対応する。好ましくは、マルチキャストしきい値は固定値であり、システムシミュレーション又は過去の経験に基づいて決定されてよい。次いで、コントローラ１１４は、メモリ１１８を参照するとともに、ＭＢＭＳサービスに加入し、且つＲＡＮとのアクティブ接続を保持しているＭＳの決定された数量に基づいて、調整済みマルチキャストしきい値「Ｍ」を決定する。係数「ｐ」は、単一放送（ｓｉｎｇｌｅ  ｂｒｏａｄｃａｓｔ）の成功の確率、すなわち、ＭＢＭＳサービスに加入し、且つＲＡＮ１１０によってサービスが提供されるＭＳの数を推定するために、単一の反復（ｉｔｅｒａｔｉｏｎ）のみが必要である確率に対応する。係数「ＣｉＬ」は組合せ係数に対応し、「Ｌ」個のオブジェクトからなる組から「ｉ」個のオブジェクトを選択することを表す。例えば、「Ｃ３１０」は、１０人のユーザからなる組から３人のユーザを選択することに対応する。パラメータ「Ｌ」は、アイドルモードＭＳの目標最大数に対応する。例えば、アクセス確率係数の単一放送の成功を所望する場合、確率が０．９５（９５％）より大きく、アイドルモードＭＳの数が２００未満であり、０．９５が許容可能な確率であれば、Ｌを２００に等しく設定してもよい。
【００２４】
次いで、ＲＡＮ１１０は、応答数量「Ｎ」を調整済みマルチキャストしきい値「Ｍ」と比較して比較結果を生成し（３１０）、この比較結果に基づいて、ＭＢＭＳデータの伝達においてＰＴＰ通信を確立させるか、或いはＰＴＭ通信を確立させるかを判定する。ＲＡＮ１１０は、「Ｎ」が「Ｍ」より大きいと判定する（３１０）時、周知の技法に従ってＰＴＭ通信チャネルを確立させ（３１２）、応答数量「Ｎ」及び調整済みマルチキャストしきい値「Ｍ」に基づいて初期アクセス確率係数「Ｐｉｎｉｔ」を調整する（３１４）。好ましくは、ＲＡＮ１１０は、初期アクセス確率係数「Ｐｉｎｉｔ」をＰ×Ｍ／Ｎに等しく設定する、すなわちＰｉｎｉｔ＝Ｐ×Ｍ／Ｎと設定する。制御メッセージの放送に応答し
て受信した応答の数に基づいてアクセス確率係数を調整することにより、ＲＡＮ１１０は、アクセスチャネルに過負荷を生じない数に応答数量を制限するために充分に低く、且つＭＢＭＳデータの伝達においてＰＴＭ通信又はＰＴＰ通信が応答数量によって適切に呼出されるために充分に高いアクセス確率係数を実装する。次いで、ＲＡＮ１１０は、送受信機１１２及び確立させたＰＴＭ通信チャネルを介して、加入ＭＳ１０２〜１０４にＭＢＭＳデータを伝達する（３１６）。次いで、論理フローは終了する（３１８）。
【００２５】
ＲＡＮ１１０は、応答数量「Ｎ」が調整済みマルチキャストしきい値「Ｍ」以下であると判定する（３１０）時、アクセス確率係数に基づいて、ＭＢＭＳデータの伝達においてＰＴＰ通信を確立させるか、或いはＰＴＭ通信を確立させるかをさらに判定する。ＲＡＮ１１０は、アクセス確率係数「Ｐ」が１に等しいか否か、すなわちＰ＝１であるか否かを判定する（３２０）。ＲＡＮ１１０は、「Ｐ」が１に等しいと判定する時、周知の技法に従って、制御メッセージに応答する各ＭＳ１０２〜１０４とのＰＴＰ通信チャネルを確立させ（３２２）、送受信機１１２及び確立されたＰＴＰ通信チャネルを介してＭＢＭＳデータを各ＭＳに対して伝達する（３２４）。次いで、論理フローは終了する（３１８）。
【００２６】
ＲＡＮ１１０は、アクセス確率係数「Ｐ」が１に等しくないと判定する時、受信した応答数量「Ｎ」に基づいて、ＭＢＭＳデータの伝達においてＰＴＰ通信を確立させるか、或いはＰＴＭ通信を確立させるかをさらに判定する。好ましくは、ＲＡＮ１１０は、応答数量「Ｎ」が０に等しいか否か、すなわちＮ＝０であるか否かを判定する（３２６）ことにより、ＰＴＰ通信を確立させるか、或いはＰＴＭ通信を確立させるかを判定する。ＲＡＮ１１０は、応答数量「Ｎ」が０に等しいと判定する（３２６）時、アクセス確率係数「Ｐ」を１に等しく設定し（３２８）、周知の技法に従って、制御メッセージに応答する各ＭＳ１０２〜１０４とのＰＴＰ通信チャネルを確立させる（３２２）。次いで、ＲＡＮ１１０は、送受信機１１２及び確立させたＰＴＰ通信チャネルを介してＭＢＭＳデータを各ＭＳに対して伝達する（３２４）。次いで、論理フローは終了する（３１８）。
【００２７】
ＲＡＮ１１０は、応答数量「Ｎ」が０に等しくないと判定する（３２６）時、応答数量「Ｎ」及び調整済みマルチキャストしきい値「Ｍ」に基づいてアクセス確率係数「Ｐ」を調整する（３３０）。好ましくは、ＲＡＮ１１０は、「Ｐ」をＰ×Ｍ／Ｎに等しく設定する、すなわちＰ＝Ｐ×Ｍ／Ｎと設定することによりアクセス確率係数「Ｐ」を調整する。次いで、ＲＡＮ１１０は、調整済みアクセス確率係数「Ｐ」をメモリ１１８に保持されているアクセス確率係数しきい値「ＰＴ」と比較し（３３２）、この比較結果に基づいて、調整済みアクセス確率係数がアクセス確率係数しきい値より大きいか否かを判定する（３３４）。調整済みアクセス確率係数「Ｐ」がアクセス確率係数しきい値「ＰＴ」以下である時、調整済みアクセス確率係数「Ｐ」に対してそれ以上の調整は行われず、論理流れ図は工程３３８に進む。調整済みアクセス確率係数「Ｐ」がアクセス確率係数しきい値「ＰＴ」より大きい時、ＲＡＮ１１０はアクセス確率係数「Ｐ」を再調整する、すなわちアクセス確率係数「Ｐ」を１に等しく設定する（３３６）。次いで、ＲＡＮ１１０は、調整（再調整）済みアクセス確率係数「Ｐ」が１より大きいか否かを判定する（３３８）。
【００２８】
ＲＡＮ１１０が、調整（再調整）済みアクセス確率係数「Ｐ」は１以下であると判定する場合、論理流れ図３００は工程３０６に戻り、ＲＡＮは、調整（再調整）済みアクセス確率係数「Ｐ」を含み、さらにＭＢＭＳサービスに関連する識別子を含む制御メッセージを、送受信機１１２及びダウンリンク制御チャネル１３２を介して放送する。調整（再調整）済みアクセス確率係数「Ｐ」を含む１つ以上の制御メッセージを放送することに応答して、ＲＡＮ１１０は、アップリンクアクセスチャネル１３６を介して、好ましくは接続を確立させる要求である、別の応答数量を受信する（３０８）。ここでも、ＭＢＭＳサービスに加入し、且つＲＡＮとのアクティブ接続を保持する各ＭＳは放送された制御メッセージに応答しないため、ＭＢＭＳサービスに加入するアイドルモードのＭＳによってのみ
、応答がＲＡＮ１１０に伝達される。次いで、ＲＡＮ１１０は、別の応答数量を調整済みマルチキャストしきい値「Ｍ」と比較して、別の比較結果を生成し（３１０）、この別の比較結果に基づいて、工程３１２〜３３８において上に述べたように、ＭＢＭＳデータの伝達においてＰＴＰ通信を確立させるか、或いはＰＴＭ通信を確立させるかを判定する。
【００２９】
ＲＡＮ１１０が調整（再調整）済みアクセス確率係数「Ｐ」は１より大きいと判定する場合、論理フローは工程３２２に進み、ＲＡＮ１１０は、周知の技法に従って、制御メッセージに応答する各ＭＳ１０２〜１０４とのＰＴＰ通信チャネルを確立させる。次いで、ＲＡＮ１１０は、送受信機１１２及び確立させたＰＴＰ通信チャネルを介して、ＭＢＭＳデータを各ＭＳ１０２〜１０４に対して伝達する（３２４）。次いで、論理フローは終了する（３１８）。
【００３０】
本発明の別の実施形態では、制御メッセージに応答するアイドルモード移動局の数に基づいて、ＰＴＭ通信を確立させるか、或いはＰＴＰ通信を確立させるかの判定に対して、簡易化された手法が提供される。図４には、本発明の別の実施形態によって、ＭＢＭＳサービスに加入するＭＳの数を推定し、ＰＴＭ通信チャネルを確立させるか、或いは複数のＰＴＰ通信チャネルを確立させるかを判定する際に、通信システム１００が実行する方法の論理流れ図４００を示す。論理流れ図３００と同様に、論理流れ図４００が開始され（４０１）、ＭＢＭＳサービスに加入し、且つＲＡＮとのアクティブ接続を保持しているＭＳの数量を、ＲＡＮ１１０、詳細にはコントローラ１１４が判定する（４０２）。好ましくは、コントローラ１１４のプロセッサ１１６は、メモリ１１８を参照することによりＲＡＮとのアクティブ接続を保持しているＭＳの数量を決定する。
【００３１】
ＲＡＮ１１０、詳細にはコントローラ１１４は、アクセス確率係数「Ｐ」を初期化する（４０４）。すなわち、「Ｐ」をコントローラ１１４のメモリ１１８に保持されている初期アクセス確率係数「Ｐｉｎｉｔ」に等しく設定する。次いで、ＲＡＮ１１０は、送受信機１１２及びダウンリンク制御チャネル１３２、好ましくはＭＢＭＳ制御チャネルを介して、初期化されたアクセス確率係数「Ｐ」を含むとともに、各ＭＳ１０２〜１０４にそのＭＳがメッセージの対象とされた受信者であるか否かを判定させることを可能とする情報をさらに含む、１つ以上の制御メッセージを放送する（４０６）。論理流れ図３００と同様に、好ましくは、この１つ以上の制御メッセージは、３ＧＰＰ  ＴＳ  ２３．８４６第６．０．０版に規定されるＭＢＭＳ通知メッセージを、アクセス確率係数を含むように変更したものを含む。
【００３２】
初期化されたアクセス確率係数「Ｐ」を含む１つ以上の制御メッセージを放送することに応答して、ＲＡＮ１１０は、アップリンクアクセスチャネル１３６を介して、好ましくは接続を確立させる要求である、応答の数量「Ｎ」を受信する（４０８）。ＭＢＭＳサービスに加入するアイドルモードのＭＳによってのみ、応答がＲＡＮ１１０に伝達される。好ましくは、接続を確立させる要求の各々は、無線資源制御（ＲＲＣ）接続確立要求等の接続要求を含んでおり、ＭＢＭＳサービスに加入し、且つ接続の確立及びＭＢＭＳデータの受信を所望する、ＭＳ１０２〜１０４等のＭＳに対応する。
【００３３】
次いで、ＲＡＮ１１０は、応答数量「Ｎ」が調整済みマルチキャストしきい値「Ｍ」以上であるか否かを判定する（４１０）。ＲＡＮ１１０は、「Ｎ」が「Ｍ」以上であると判定する時、周知の技法に従ってＰＴＭ通信チャネルを確立させ（４１２）、応答数量「Ｎ」及び調整済みマルチキャストしきい値「Ｍ」に基づいて初期アクセス確率係数「Ｐｉｎｉｔ」を調整する（４１４）。好ましくは、ＲＡＮ１１０は、初期アクセス確率係数「Ｐｉｎｉｔ」をＰ×Ｍ／Ｎに等しく設定する、すなわちＰｉｎｉｔ＝Ｐ×Ｍ／Ｎと設定する。次いで、ＲＡＮ１１０は、送受信機１１２及び確立させたＰＴＭ通信チャネルを介してＭＢＭＳデータを伝達する（４１６）。次いで、論理フローは終了する（４１８）。
【００３４】
ＲＡＮ１１０は、応答数量「Ｎ」が調整済みマルチキャストしきい値「Ｍ」未満であると判定する時、応答数量「Ｎ」及び調整済みマルチキャストしきい値「Ｍ」に基づいてアクセス確率係数「Ｐ」を調整する（４２０）。好ましくは、ＲＡＮ１１０は、アクセス確率係数「Ｐ」をＰ×Ｍ／Ｎに等しく設定する、すなわちＰ＝Ｐ×Ｍ／Ｎと設定する。次いで、ＲＡＮ１１０は、調整済みアクセス確率係数「Ｐ」が１以上であるか否か、すなわちＰ≧１であるか否かを判定する（４２２）。ＲＡＮ１１０は、「Ｐ」が１以上であると判定する時、周知の技法に従って、制御メッセージに応答する各ＭＳ１０２〜１０４とのＰＴＰ通信チャネルを確立させ（４２４）、送受信機１１２及び確立されたＰＴＰ通信チャネルを介してＭＢＭＳデータを各ＭＳに対して伝達する（４２６）。次いで、論理フローは終了する（４１８）。ＲＡＮ１１０が「Ｐ」は１未満であると判定する場合、論理流れ図４００は工程４０６に戻り、ＲＡＮは、送受信機１１２及びダウンリンク制御チャネル１３２、好ましくはＭＢＭＳ制御チャネルを介して、調整済みアクセス確率係数「Ｐ」を含むとともに、各ＭＳ１０２〜１０４にそのＭＳがメッセージの対象とされた受信者であるか否かを判定させることを可能とする情報をさらに含む、１つ以上の制御メッセージを放送する。次いで、通信システム１００は、工程４０８〜４２６のうち適切ないずれの工程も繰り返す。
【００３５】
図５には、本発明の一実施形態により、ＲＡＮ１１０から受信した制御メッセージに応答する際に各ＭＳ１０２〜１０４が実行する工程の論理流れ図５００である。別記しない限り、本明細書において各ＭＳ１０２〜１０４により実行される機能は全て、ＭＳのプロセッサ２０６によって実行される。論理流れ図５００が開始され（５０２）、ＲＡＮ１１０によりサービスが提供されるＭＳ１０２〜１０４等のＭＳは、そのＭＳが加入するＭＢＭＳサービスを識別する制御メッセージをＲＡＮから受信する（５０４）。制御メッセージの受信に応答して、ＭＳは、好ましくは資源制御（ＲＲＣ）接続である接続がＭＳとＲＡＮ１１０の間に確立されているか否かを判定する（５０６）。ＭＳは、接続が確立されていると判定する時、制御メッセージを無視する、すなわち制御メッセージに応答せず（５０８）、論理フローは終了する（５１０）。
【００３６】
ＭＳは、接続が確立されていないと判定する時、例えば、ＭＳがアイドルモードにある時、制御メッセージに含まれるアクセス確率係数「Ｐ」に基づいて制御メッセージに応答するか否かを判定する（５１２）。好ましくは、応答するか否かを判定する工程には以下の工程が含まれる。ＭＳは、確率係数「Ｐｒａｎｄ」を生成する区間［０，１］を通じた一様無作為抽出テストを行う。一様無作為抽出テストは当該技術分野において周知であるので、さらに詳細には説明しない。次いで、ＭＳは、一様無作為抽出テストにより生成された確率係数、すなわち「Ｐｒａｎｄ」を制御メッセージに含まれているアクセス確率係数「Ｐ」と比較する。確率係数「Ｐｒａｎｄ」がアクセス確率係数「Ｐ」以上である時、ＭＳは制御メッセージに応答しない、すなわち制御メッセージを無視すると判定し（５１４）、論理フローは終了する（５１０）。確率係数「Ｐｒａｎｄ」がアクセス確率係数「Ｐ」以上である時、ＭＳは、好ましくはＲＲＣ接続である接続をＲＡＮ１１０と確立させると判定し、アップリンクアクセスチャネル１３６を介して、好ましくはＲＲＣ接続確立要求である接続要求をＲＡＮに伝達する（５１６）。次いで、論理フローは終了する（５１０）。
【００３７】
要約すると、通信システム１００は、システムによってサービスが提供され、且つＭＢＭＳサービスに加入する、アイドルモードのＭＳ（１０２〜１０４）とアクティブ接続を保持しているＭＳ（１０２〜１０４）との両方の数に基づいて、マルチメディア放送マルチキャストサービス（ＭＢＭＳ）データの伝達においてＰＴＭ通信を確立させるか、或いはＰＴＰ通信を確立させるかを判定する。通信システム１００は、アクセス確率係数を含む制御メッセージを放送する。制御メッセージに応答して生成される応答数によりシステ
ムに過負荷を生じることを防止するするために、アクティブ接続を保持しているＭＳは制御メッセージを無視し、アイドルモードの移動局は、アクセス確率係数に基づいて応答するか否かを判定する。通信システム１００は、制御メッセージに応答して受信した応答数をしきい値と比較し、この比較結果に基づいて、ＭＢＭＳデータの伝達においてＰＴＭ通信を確立させるか、或いはＰＴＰ通信を確立させるかを判定する。この比較結果において応答数がしきい値を超えないことが示される時、通信システム１００は、ＰＴＭ通信を確立させるか、或いはＰＴＰ通信を確立させるかを判定する際に、アクセス確率係数と受信した応答数量とのうちの１つ以上をさらに考慮してもよい。システムはまた、任意の後続の制御メッセージの放送により生成される応答数量を制御するために、受信した応答数に基づいてアクセス確率係数を調整する。
【００３８】
本発明について、特定の実施形態を参照して詳細に図示し説明したが、以下の特許請求の範囲に記載される本発明の範囲から逸脱することなく、各種変更を行い、且つ均等物で要素を置き換え得ることが当業者により理解されよう。したがって、本明細書及び図面は限定的な意味ではなく例示的な意味とみなされるものであり、このような変更及び置換は全て本発明の範囲内に包含されるものである。
【００３９】
長所、他の利点、及び問題に対する解決策について特定の実施形態に関して上に述べた。しかし、長所、利点、問題に対する解決策、及び任意の長所、利点、又は解決策を生じ得る、又はより明白にし得る任意の要素は、任意又は全ての特許請求の範囲の重要な、必要な、又は本質的な特徴又は要素として解釈されるものではない。本明細書において使用する用語「含む（ｃｏｍｐｒｉｓｅｓ）」、「含んでいる（ｃｏｍｐｒｉｓｉｎｇ）」、又はこれらの任意の変形は、要素リストを含むプロセス、方法、物品、又は装置がこれらの要素のみを含むのではなく、明示的に列挙されていない他の要素又はこのようなプロセス、方法、物品、又は装置に固有の他の要素を含み得るように、非排他的な包含を含むものとする。第１及び第２、上及び下等の関係語の使用は（存在する場合には）、１つのエンティティ又はアクションを別のエンティティ又はアクションと区別するためにのみ用いられ、このようなエンティティ間又はアクション間に実際のこのような関係又は順序のいずれをも、必ずしも必要とする又は暗示するものではないことも理解される。
【図面の簡単な説明】
【００４０】
【図１】本発明の一実施形態による無線通信システムのブロック図。
【図２】本発明の一実施形態による図１の移動局のブロック図。
【図３Ａ】本発明の一実施形態によって、加入移動局に対してマルチメディア放送マルチキャストサービス（ＭＢＭＳ）データを伝達するためにポイントツーマルチポイント（ＰＴＭ）通信を確立させるか、或いはポイントツーポイント（ＰＴＰ）通信を確立させるかを判定する方法を示す論理流れ図。
【図３Ｂ】本発明の一実施形態によって、加入移動局に対してＭＢＭＳデータを伝達するためにＰＴＭ通信を確立させるか、或いはＰＴＰ通信を確立させるかを判定する方法を示す図３Ａに続く論理流れ図。
【図４】本発明の別の実施形態によって、加入移動局に対してＭＢＭＳデータを伝達するためにＰＴＭ通信を確立させるか、或いはＰＴＰ通信を確立させるかを判定する方法を示す論理流れ図。
【図５】本発明の一実施形態により制御メッセージに応答する際に図１の移動局により実行される工程の論理流れ図。
【図１】
2006526316.tif 000004
【図２】
2006526316.tif 000005
【図３Ａ】
2006526316.tif 000006
【図３Ｂ】
2006526316.tif 000007
【図４】
2006526316.tif 000008
【図５】
2006526316.tif 000009
【国際調査報告】
2006526316.tif 000010